(57)【要約】【課題】  ＤＶＤＰＬＡＹＥＲなどのセットにおいて、再生ボタン等の押しボタンを押した時に、タクトスイッチのクリック感を良好にすることができ、複数のタクトスイッチのクリック感のばらつきを低減できるタクトスイッチのクリック感発生構造を提供する。【解決手段】  押しボタン４を押すことにより、この押しボタン４のタクトスイッチ３への接触でクリック感を発生するようにしたタクトスイッチのクリック感発生構造において、タクトスイッチ３の先端が球状に形成され、押しボタン４のタクトスイッチ３への接触箇所が凹球面４ｂに形成されており、押しボタン４を押すことにより、この押しボタン４の凹球面４ｂがタクトスイッチ３の先端の球状部３ｂに接触してクリック感を発生するように構成した。【選択図】  図１
2009076254.tif 000002
【特許請求の範囲】
【請求項１】
押しボタンを押すことにより、この押しボタンのタクトスイッチへの接触でクリック感を発生するようにしたタクトスイッチのクリック感発生構造において、前記タクトスイッチの先端が球状に形成され、前記押しボタンの前記タクトスイッチへの接触箇所が凹球面に形成されており、前記押しボタンを押すことにより、この押しボタンの凹球面が前記タクトスイッチの球状先端に接触してクリック感を発生するように構成したことを特徴とするタクトスイッチのクリック感発生構造。
【請求項２】
前記押しボタンは押されたときにタクトスイッチとの接触部分が横向きに移動するように構成され、前記タクトスイッチは前記押しボタンの奥側に配置されており、前記押しボタンの奥部が円柱状に形成され、この円柱状部分の奥端に前記凹球面が形成されている請求項１に記載のタクトスイッチのクリック感発生構造。
【請求項３】
前記押しボタンは押されたときにタクトスイッチとの接触部分が下向きに移動するように構成され、前記タクトスイッチは前記押しボタンの下端部の下側に配置されており、前記押しボタンの下端の平面部における前記タクトスイッチの球状部に接触する箇所に前記凹球面が形成されている請求項１に記載のタクトスイッチのクリック感発生構造。
【発明の詳細な説明】
【技術分野】
【０００１】
本発明は、押しボタンを押すことにより、この押しボタンのタクトスイッチへの接触でクリック感を発生するようにしたタクトスイッチのクリック感発生構造に関するものである。
【背景技術】
【０００２】
従来のタクトスイッチのクリック感発生構造は、図３（ａ）（ｂ）に示すように、基板１０１に実装されたタクトスイッチ１０２の円柱状部１０２ａの先端面１０２ｂは平らな面に形成され、フロントパネル１０３に設けられた押しボタン１０４におけるタクトスイッチ１０２に接触する円柱状部１０４ａの奥端面１０４ｂも平らな面に形成されていた。そして、押しボタン１０４を押すとヒンジ部１０４ｃを中心にして円弧状に奥側に移動するために、この押しボタン１０４の円柱状部１０４ａの奥端面１０４ｂとタクトスイッチ１０２の円柱状部１０２ａの先端面１０２ｂが点接触または線接触して全面が接触しないために、タクトスイッチ１０２のクリック感が悪く、複数のタクトスイッチ１０２のクリック感のばらつきも大きいという問題があった。
【０００３】
第１の従来技術を図４（ａ）（ｂ）に示す。この従来の押ボタンスイッチは、図４（ａ）（ｂ）に示すように、支持部材２０４と、これにより回転可能に支持された挺子部材２０５と、指でボタン２０６ａが押されたときにＤ１方向に並進する操作部材２０６と、一端が操作部材２０６に固定され、他端が挺子部材２０５の端部に固定された弾性体よりなるヒンジ２０７とを有する。操作部材２０４をＤ１方向に並進させると、ヒンジ２０７を弾性変形させながら挺子部材２０５が回動し、挺子部材２０５の突起部２０５ａがＤ１方向と異なるＤ２方向に移動してスイッチ部２０２の動作部２０２ａを押して接点状態を切り替える。（例えば、特許文献１参照）。
【０００４】
ところが、これはスイッチのクリック感に対してのものではなかった。
【０００５】
第２の従来技術を図５に示す。この従来の電気機器のスイッチ装置は、図５に示すように、筐体３０１内でキースイッチ３０６の上方に押圧部材３８３を配備する。押ボタン３０７から伸び出た操作扞３７４を押圧部材３８３の上端部に対峙させる。押圧部材３８３と操作扞３７４との対峙箇所イがジャック端子３０４の頂部よりも高位に位置している。押圧部材３８３は、メイン回路基板３０３に取り付けた合成樹脂製の支持体３０８に具備させておいても、筐体３０１の側壁（図示略）に上下動可能に設けておいてもよい。（例えば、特許文献２参照）。
【０００６】
ところが、これはキースイッチ２０６のクリック感に対してのものではなかった。
【特許文献１】特開２００２−１００２６２号公報
【特許文献２】特開２０００−１５６１３７号公報
【発明の開示】
【発明が解決しようとする課題】
【０００７】
本発明は、上記従来の問題に鑑みてなされたものであって、ＤＶＤＰＬＡＹＥＲなどのセットにおいて、再生ボタン等の押しボタンを押した時に、タクトスイッチのクリック感を良好にすることができ、複数のタクトスイッチのクリック感のばらつきを低減することができるタクトスイッチのクリック感発生構造を提供することを目的としている。
【課題を解決するための手段】
【０００８】
本発明は、上記課題を解決するために提案されたものであって、請求項１に記載の発明は、押しボタンを押すことにより、この押しボタンのタクトスイッチへの接触でクリック感を発生するようにしたタクトスイッチのクリック感発生構造において、前記タクトスイッチの先端が球状に形成され、前記押しボタンの前記タクトスイッチへの接触箇所が凹球面に形成されており、前記押しボタンを押すことにより、この押しボタンの凹球面が前記タクトスイッチの球状先端に接触してクリック感を発生するように構成したことを特徴としている。
【０００９】
請求項２に記載の発明は、請求項１に記載の発明において、前記押しボタンは押されたときにタクトスイッチとの接触部分が横向きに移動するように構成され、前記タクトスイッチは前記押しボタンの奥側に配置されており、前記押しボタンの奥部が円柱状に形成され、この円柱状部分の奥端に前記凹球面が形成されている。
【００１０】
請求項３に記載の発明は、請求項１に記載の発明において、前記押しボタンは押されたときにタクトスイッチとの接触部分が下向きに移動するように構成され、前記タクトスイッチは前記押しボタンの下端部の下側に配置されており、前記押しボタンの下端の平面部における前記タクトスイッチの球状部に接触する箇所に前記凹球面が形成されている。
【発明の効果】
【００１１】
請求項１に記載の発明によれば、押しボタンを押したときに、タクトスイッチの先端の球状部に押しボタンの凹球面が接触するから、面接触となって接触面積が大きくなることによって、タクトスイッチを押しボタンで正確に押すことができて、タクトスイッチのクリック感を良好にすることができる。また、押しボタンとタクトスイッチが複数ある場合には、これら複数のタクトスイッチのクリック感のばらつきを低減することができる。
【００１２】
請求項２に記載の発明によれば、押しボタンを押したときにタクトスイッチとの接触部分が横向きに移動して、押しボタンの凹球面が奥側のタクトスイッチの球状部に面接触するから、タクトスイッチのクリック感を良くすることができる。
【００１３】
請求項３に記載の発明によれば、押しボタンを押したときにタクトスイッチとの接触部分が下向きに移動して、押しボタンの下端部の平面部の凹球面が下側のタクトスイッチの球状部に面接触するから、タクトスイッチのクリック感を良くすることができる。
【発明を実施するための最良の形態】
【００１４】
以下、本発明に係るタクトスイッチのクリック感発生構造の実施の形態について、図を参照しつつ説明する。尚、下記するタクトスイッチは、ＤＶＤＰＬＡＹＥＲなどのセットに用いられるものであり、押しボタンとしては、再生ボタン等の各種ボタンを含むものである。
【００１５】
図１は本発明の第１実施形態のタクトスイッチのクリック感発生構造を示し、（ａ）はそのタクトスイッチと押しボタンの斜視図、（ｂ）はその押しボタンが押されてタクトスイッチに接触した状態の部分側面図である。
【００１６】
この第１実施形態のタクトスイッチのクリック感発生構造は、図１（ａ）（ｂ）に示すように、フロントパネル１の内側に縦向きに配置された基板２にタクトスイッチ３が実装され、フロントパネル１にはタクトスイッチ３をＯＮ・ＯＦＦする押しボタン４が取り付けられている。タクトスイッチ３の円柱状部３ａの先端は球状部３ｂに形成され、押しボタン４におけるタクトスイッチ３に接触する円柱状部４ａの先端は凹球面４ｂに形成されている。図１（ｂ）に示すように、押しボタン４を押すと、ヒンジ部４ｃを中心に押しボタン４が奥側に移動し、押しボタン４の凹球面４ｂがタクトスイッチ３の先端の球状部３ｂに接触してクリック感が発生するようになっている。
【００１７】
従って、この第１実施形態によれば、押しボタン４を押したときに、タクトスイッチ３の先端の球状部３ｂに押しボタン４の凹球面４ｂが接触するから、面接触となって接触面積が大きくなることによって、タクトスイッチ３を押しボタン４で正確に押すことができて、タクトスイッチ３のクリック感を良好にすることができる。また、押しボタン４とタクトスイッチ３が複数ある場合には、これら複数のタクトスイッチ３のクリック感のばらつきを低減することができる。この第１実施形態では、押しボタン４を押したときにタクトスイッチ３との接触部分が横向きに移動して、押しボタン４の凹球面４ｂが奥側のタクトスイッチ３の球状部３ｂに面接触するから、タクトスイッチ３のクリック感を良くすることができる。
【００１８】
図２は第２実施形態のタクトスイッチのクリック感発生構造を示し、（ａ）はその押しボタンを押す前の状態を示す部分側面図、（ｂ）はその押しボタンが押されてタクトスイッチに接触した状態の部分側面図である。
【００１９】
この第２実施形態のタクトスイッチのクリック感発生構造は、図２（ａ）（ｂ）に示すように、フロントパネル１の内側に横向きに基板２が配置され、この基板２にタクトスイッチ３が実装され、フロントパネル１に押しボタン５が取り付けられている。この押しボタン５は、押されたときにタクトスイッチ３との接触部分が下向きに移動するようになっている。タクトスイッチ３の円柱状部３ａの先端は球状部３ｂに形成され、押しボタン５の下端の平面部５ａにおけるタクトスイッチ３の球状部３ｂに接触する箇所に凹球面５ｂが形成されている。押しボタン５を押すと、ヒンジ部５ｃを中心に押しボタン５が下向きに移動し、平面部５ａの凹球面５ｂがタクトスイッチ３の球状部３ｂに接触するようになっている。
【００２０】
従って、この第２実施形態によれば、押しボタン５を押したときに、タクトスイッチ３の先端の球状部３ｂに押しボタン５の凹球面５ｂが接触するから、面接触となって接触面積が大きくなることによって、タクトスイッチ３を押しボタン５で正確に押すことができて、タクトスイッチ３のクリック感を良好にすることができる。また、押しボタン５とタクトスイッチ３が複数ある場合には、これら複数のタクトスイッチ３のクリック感のばらつきを低減することができる。この第２実施形態では、押しボタン５を押したときにタクトスイッチ３との接触部分が下向きに移動して、押しボタン５の下端部の平面部５ａの凹球面５ｂが下側のタクトスイッチ３の球状部３ｂに面接触するから、タクトスイッチ３のクリック感を良くすることができる。
【図面の簡単な説明】
【００２１】
【図１】本発明の第１実施形態のタクトスイッチのクリック感発生構造を示し、（ａ）はそのタクトスイッチと押しボタンの斜視図、（ｂ）はその押しボタンが押されてタクトスイッチに接触した状態の部分側面図である。
【図２】第２実施形態のタクトスイッチのクリック感発生構造を示し、（ａ）はその押しボタンを押す前の状態を示す部分側面図、（ｂ）はその押しボタンが押されてタクトスイッチに接触した状態の部分側面図である。
【図３】従来のタクトスイッチのクリック感発生構造を示し、（ａ）はそのタクトスイッチと押しボタンの斜視図、（ｂ）はその押しボタンが押されてタクトスイッチに接触した状態の部分側面図である。
【図４】従来の押ボタンスイッチを示し、（ａ）はその部分断面図、（ｂ）はその押ボタンスイッチの操作面を押した状態の部分側面図である。
【図５】従来の電気機器のスイッチ装置を示す縦断面図である。
【符号の説明】
【００２２】
１        フロントパネル
２        基板
３        タクトスイッチ
３ａ      円柱状部
３ｂ      球状部
４        押しボタン
４ａ      円柱状部
４ｂ      凹球面
４ｃ      ヒンジ部
５        押しボタン
５ａ      平面部
５ｂ      凹球面
５ｃ      ヒンジ部
【図１】
2009076254.tif 000003
【図２】
2009076254.tif 000004
【図３】
2009076254.tif 000005
【図４】
2009076254.tif 000006
【図５】
2009076254.tif 000007